(57)【特許請求の範囲】
【請求項１】
第１のポスト及び第２のポストに取り付けられるように構成されたスライドレールアセンブリであって、当該スライドレールアセンブリは、
第１の端部及び第２の端部を有するレール要素と、
前記第１の端部に隣接するように前記レール要素に可動に取り付けられる第１のブラケットであって、前記レール要素は、該第１のブラケットを通じて前記第１のポストに取り付けられるように構成されている、第１のブラケットと、
前記第２の端部に隣接するように前記レール要素に取り付けられる第２のブラケットであって、前記レール要素は、該第２のブラケットを通じて前記第２のポストに取り付けられるように構成されている、第２のブラケットと、
一方側の端部を通じて前記第１のブラケットに可動に取り付けられるフックと、
を含み、
前記第１のブラケットが前記第１のポストに取り付けられている場合、前記フックは前記第１のポストに対して閉位置に位置し、
前記レール要素が、前記フックの他方側の端部を構成するブロック壁部に隣接するように動かされている場合、前記レール要素は、前記フックが前記閉位置から離れるのを防ぐように構成されている、スライドレールアセンブリ。
【請求項２】
前記フックに弾性力を加えるように構成されているとともに、前記第１のブラケットと前記フックとの間に配置される弾性要素をさらに含む、請求項１に記載のスライドレールアセンブリ。
【請求項３】
前記レール要素に連結されるとともに、通路を含む支持フレームと、
前記第１のブラケットに連結された伸長要素であって、該伸長要素の一部は前記通路内に配置されている、伸長要素と、
をさらに含む、請求項１に記載のスライドレールアセンブリ。
【請求項４】
前記第１のブラケット及び前記フックの一方はガイド部を有し、前記フックは該ガイド部を通じて連結要素によって前記第１のブラケットに連結されている、請求項１に記載のスライドレールアセンブリ。
【請求項５】
前記ガイド部は細長い孔である、請求項４に記載のスライドレールアセンブリ。
【請求項６】
前記第１のブラケットは第１の接触部を有し、前記フックは第２の接触部を有し、前記第１のポストから前記第１のブラケットを取り外すために、前記フックが前記第１のポストに当接した状態で前記第１のブラケットを前記第１のポストから離れる方向に沿って動かした場合、前記第１のブラケットの前記第１の接触部は、前記フックが前記閉位置から離れて前記第１のポストから取り外されるように前記第２の接触部を押圧する、請求項１に記載のスライドレールアセンブリ。
【請求項７】
前記第１の接触部及び前記第２の接触部の一方は傾斜面を有する、請求項６に記載のスライドレールアセンブリ。
【請求項８】
前記支持フレームは第１の部位を有し、前記伸長要素は第２の部位を有し、前記第１のブラケットは、該第１の部位が該第２の部位に当接した場合に移動するように構成されている、請求項３に記載のスライドレールアセンブリ。
【請求項９】
前記フックは、連結要素により前記第１のブラケットに対して枢動する、請求項１に記載のスライドレールアセンブリ。
【請求項１０】
レール要素のためのブラケット装置であって、
前記レール要素に対して移動可能なブラケットと、
一方側の端部を通じて前記ブラケットに可動に取り付けられるとともに、前記ブラケットに対して閉位置と開位置との間を枢動可能なフックと、
を含み、
前記フックが前記ブラケットに対して前記閉位置に位置し且つ前記レール要素が、前記フックの他方側の端部を構成するブロック壁部に隣接するように動かされている場合、前記レール要素は、前記フックが前記ブラケットに対して前記閉位置から離れるのを防ぐように構成され、
前記レール要素が前記フックを妨げることなく動かされている場合、前記フックは前記閉位置から前記開位置に移動可能である、ブラケット装置。
【発明の詳細な説明】
【技術分野】
【０００１】
本発明はスライドレールアセンブリに関し、より具体的にはブラケットを備えるとともに、該ブラケットに対してフックが移動する（moving  relative  to）のを妨げる位置にレール要素を移動させることが可能なスライドレールアセンブリに関する。
【背景技術】
【０００２】
特許文献１には、工具が不要なサーバー用のスライドレールマウントフレームが開示されている。当該マウントフレームは、スライドレールバックマウントフレーム（１）上に配置された一対のフレーム位置決めコラム（４）と、フレーム浮動フック（frame  floating  hook）（２）とを含む。フレーム浮動フック（２）は、それぞれが一対の羽根部（２０５）に配置された一対のフック（２３０）を含む。一対の羽根部のそれぞれはスライドガイドスリーブ（２０１）を備えるとともに、「アーチドア」状の屈曲部品（bending  piece）（２０６）を通じて固定連結されている。スライドレールバックマウントフレーム（１）は２つのスライドガイドコラム（１０１）を用いて固定されている。スライドガイドコラムはスライドガイドスリーブ（２０１）内に挿入され、制限ネジ（７）により固定連結されている。第１の戻りバネ（６）がスライドガイドスリーブ（２０１）上の羽根部（２０５）と制限ネジ（７）との間に配置されている。スライドレールバックマウントフレーム（１）は、浮動ピン（３）を配置するための浮動ピン孔（１０４）をさらに備える。浮動ピン（３）の一端が制限ネジ（７）を通じて「アーチドア」状の屈曲部品（２０６）に連結されており、浮動ピン（１０４）の他端は浮動ピン孔（１０４）内に配置される円錐状ヘッド（３０１）である。第２の戻りバネ（５）は、浮動ピン（３）上の円錐状ヘッド（３０１）の端面と制限ネジ（７）との間に配置されている。
【先行技術文献】
【特許文献】
【０００３】
【特許文献１】中国特許第１０２６９５３９６号明細書
【発明の概要】
【発明が解決しようとする課題】
【０００４】
上記の構成によれば、先行技術においては、スライドレールバックマウントフレーム（１）を、バックフレームに覆われたスライドレールの外側レールによって駆動される浮動ピン（３）を通じてロック又はロック解除することができる。しかしながら、先行技術に開示の構造は複雑であり、全体的な機能に影響を及ぼし得る。
【０００５】
本発明は、ブラケットに対してフックが移動するのを妨げる位置にレール要素を移動させることが可能なスライドレールアセンブリに関する。
【課題を解決するための手段】
【０００６】
本発明の一実施形態によれば、スライドレールアセンブリは第１のポスト及び第２のポストに取り付けられるように構成されている。当該スライドレールアセンブリは、レール要素と、第１のブラケットと、第２のブラケットと、フックとを含む。レール要素は第１の端部及び第２の端部を有する。第１のブラケットはレール要素に連結されるとともに、第１の端部に隣接している。レール要素は、第１のブラケットを通じて第１のポストに取り付けられるように構成されている。第２のブラケットはレール要素に連結されるとともに、第２の端部に隣接している。レール要素は、第２のブラケットを通じて第２のポストに取り付けられるように構成されている。フックは第１のブラケットに連結されている。第１のブラケットが第１のポストに取り付けられている場合、フックは第１のポストに対して閉位置に位置している。レール要素がフックに隣接するように作動的に動かされている場合、レール要素は、フックが閉位置から離れるのを防ぐように構成されている。
【０００７】
上記の実施形態によれば、スライドレールアセンブリは、フックに弾性力を加えるように構成されているとともに、第１のブラケットとフックとの間に配置される弾性要素をさらに含む。
【０００８】
上記の実施形態によれば、スライドレールアセンブリは、レール要素に連結されるとともに、通路を含む支持フレームと、第１のブラケットに連結された伸長要素であって、該伸長要素の一部は前記通路内に配置されている、伸長要素とをさらに含む。
【０００９】
上記の実施形態によれば、第１のブラケット及びフックの一方はガイド部を有する。フックは該ガイド部を通じて連結要素によって第１のブラケットに連結されている。
【００１０】
ガイド部は細長い孔であることが好ましい。
【００１１】
上記の実施形態によれば、第１のブラケットは第１の接触部を有し、フックは第２の接触部を有する。第１のポストから第１のブラケットを取り外すために、フックが第１のポストに当接した状態で第１のブラケットをある方向に沿って作動的に動かされている（operatively  moved）場合、第１のブラケットの第１の接触部は、フックが閉位置から離れて第１のポストから取り外されるように第２の接触部を押圧する。
【００１２】
第１の接触部及び第２の接触部の一方が傾斜面を有することが好ましい。
【００１３】
支持フレームが第１の部位を有し、伸長要素が第２の部位を有することが好ましい。第１のブラケットは、該第１の部位が該第２の部位に当接した場合に作動的に移動するように構成されている。
【００１４】
上記の実施形態によれば、フックは、連結要素により第１のブラケットに対して枢動する。
【００１５】
本発明の他の実施形態によれば、レール要素のためのブラケット装置はブラケットと、フックとを含む。ブラケットはレール要素に対して移動可能である。フックはブラケットに連結されるとともに、ブラケットに対して閉位置と開位置との間を移動可能である。フックがブラケットに対して閉位置に位置し且つ前記レール要素が前記フックに隣接するように作動的に動かされている場合、レール要素は、フックがブラケットに対して閉位置から離れるのを防ぐように構成されている。レール要素がフックを妨げることなく作動的に動かされている場合、フックは閉位置から開位置に移動可能である。
【００１６】
以下に記載する、様々な図面に図示する好ましい実施形態の詳細な説明を読み終えた後、本発明の上記の目的及び他の目的が当業者に間違いなく明らかになる。
【図面の簡単な説明】
【００１７】
【図１】図１は、本発明の一実施形態に係る、第１のポスト及び第２のポストに取り付けられたスライドレールアセンブリを示す図である。
【図２】図２は、本発明の一実施形態に係る、スライドレールアセンブリの分解図である。
【図３】図３は、本発明の一実施形態に係る、第１のポストに取り付けられた第１のブラケットを示す図である。
【図４】図４は、本発明の一実施形態に係る、スライドレールアセンブリを第１のポストに取り付ける作業を示す図である。
【図５】図５は、本発明の一実施形態に係る、第１のポストに取り付けられたスライドレールアセンブリを示す図である。
【図６】図６は、本発明の一実施形態に係る、第１のポスト及び第２のポストに取り付けられたスライドレールアセンブリを示す図である。
【図７】図７は、本発明の一実施形態に係る、第１のポストから取り外されたスライドレールアセンブリを示す図であり、レール要素は第１のブラケットを駆動させるのに用いることができる。
【図８】図８は、本発明の一実施形態に係る、第１のポストに対して第１のブラケットを駆動させるスライドレールアセンブリのレール要素を示す図である。
【図９】図９は、本発明の一実施形態に係る、第１のポスト及び第２のポストから取り外されているスライドレールアセンブリを示す図である。
【発明を実施するための形態】
【００１８】
図１に示すように、本発明の一実施形態によれば、スライドレールアセンブリ２０は、第１のブラケット２２及び第２のブラケット２４を通じて第１のポスト２６及び第２のポスト２８に取り付けられている。
【００１９】
図２に示すように、スライドレールアセンブリ２０は、レール要素３０とフック３２とを含む。レール要素３０は、第１の端部３６ａと第２の端部３６ｂとを有する。第２のブラケット２４は、レール要素３０に連結されるとともに、第２の端部３６ｂに隣接している。スライドレールアセンブリ２０は、レール要素３０に固定連結された支持フレーム３８をさらに含むことが好ましく、支持フレーム３８はレール要素３０の一部と見なすことができる。具体的には、支持フレーム３８は、上壁部４０ａと、下壁部４０ｂと、上壁部４０ａ及び下壁部４０ｂの間に連結された縦壁部４２とを含む。上壁部４０ａ、下壁部４０ｂ及び縦壁部４２によって通路４４が定義されている。縦壁部４２は突起等の第１の部位４６を有する。スライドレールアセンブリ２０は、第１のブラケット２２に固定連結された伸長要素４８をさらに含むことが好ましく、伸長要素４８は第１のブラケット２２の一部と見なすことができる。レール要素３０の第１の端部３６ａに隣接する位置に第１のブラケット２２を移動させることができるように、第１のブラケット２２は、伸長要素４８を通じて支持フレーム３８に対して移動可能である。より具体的には、伸長要素４８の一部が支持フレーム３８の通路４４内に配置されており、伸長要素４８は弾性アーム等の第２の部位５０を有する。
【００２０】
図２及び図３に示すように、第１のブラケット２２は、サイドプレート５２と、エンドプレート５４と、少なくとも１つの取り付け要素５６とを含む。本実施形態では、サイドプレート５２は伸長要素４８に連結されている。少なくとも１つの耳部（ear  portion）５８はサイドプレート５２上に配置されており、サイドプレート５２から折り曲げられている。第１のブラケット２２及びフック３２の一方はガイド部６０を有する。本実施形態では、例えば、第１のブラケット２２がガイド部６０を有する。ガイド部６０は細長い孔である。エンドプレート５４はサイドプレート５２から折り曲げられているか又はサイドプレート５２に垂直に連結されている。少なくとも１つの取り付け要素５６はエンドプレート５４に取り付けられており、少なくとも１つの取り付け要素５６は第１のポスト２６の孔６２に取り付けられるように構成されている。フック３２は第１のブラケット２２に連結されている。フック３２が第１のブラケット２２に対して枢動できるように、フック３２は、ガイド部６０を通じて連結要素６４によって第１のブラケット２２に連結されていることが好ましい。
【００２１】
フック３２は、少なくとも１つのブロック部６６と、ブロック壁部６８とを有する。スライドレールアセンブリ２０は、フック３２に弾性力を加えるように構成された弾性要素３４をさらに含むことが好ましい。弾性要素３４は、第１のブラケット２２とフック３２との間に配置することができる。第１のブラケット２２が第１の接触部７０を有し、フック３２が第２の接触部７２を有することが好ましい。第１の接触部７０及び第２の接触部７２の一方が傾斜面を有する。
【００２２】
図４に示すように、スライドレールアセンブリ２０を第１のポスト２６及び第２のポスト２８に取り付ける場合、ユーザーは力を加えることで、スライドレールアセンブリ２０の第１のブラケット２２を第１の方向Ｄ１に沿った角度で第１のポスト２６の方に動かすことができる。その際、フック３２が作動的に斜めに偏向され、フック３２が第１のブラケット２２に対して開位置Ｐ１に位置するようにでき、弾性要素３４は、フック３２が第１のブラケット２２に対して移動したことに対応して弾性力を生成できる。
【００２３】
図４及び図５に示すように、第１のブラケット２２の取り付け要素５６が第１のポスト２６の孔６２に取り付けられるまでスライドレールアセンブリ２０の第１のブラケット２２を第１の方向Ｄ１に沿ってさらに移動させると、弾性要素３４は非操作状態（unoperated  status）で弾性力を放つことができる。その弾性力に対応して、フック３２が開位置Ｐ１から閉位置Ｐ２に移動し、フック３２が第１のポスト２６に対して閉位置Ｐ２で保持される。即ち、弾性要素３４の弾性力によってフック３２を閉位置Ｐ２で保持することができる。フック３２が閉位置Ｐ２に位置している場合、フック３２の少なくとも１つのブロック部６６は第１のポスト２６に対応するか又は第１のポスト２６に対向している。
【００２４】
図５及び図６に示すように、第１のブラケット２２が第１のポスト２６に取り付けられ、フック３２が閉位置Ｐ２に位置している場合、フック３２が第１のブラケット２２に対して閉位置Ｐ２から離れるのを防ぐために、レール要素３０をフック３２に隣接するよう作動的に動かすことができる。具体的には、ユーザーは、第１の方向Ｄ１に沿ってレール要素３０に力を加えることで、レール要素３０を第１の方向Ｄ１に沿って第１のブラケット２２に対して移動させることができる。レール要素３０の一部をフック３２のブロック壁部６８に隣接する位置に移動させた場合、フック３２が第１のブラケット２２に対して閉位置Ｐ２から離れるのを防ぐのにレール要素３０の前記一部を利用することができる。即ち、そのような状態では、フック３２を偏向させて閉位置Ｐ２から開位置Ｐ１に移動させることができない。何故なら、レール要素３０によってブロック壁部６８がブロックされているからである。そのため、フック３２のブロック部６６が第１のポスト２６に対応した状態又は第１のポスト２６に対向した状態が確実に維持されるようにフック３２を第１のポスト２６に対して閉位置Ｐ２で保持することができ、第１のブラケット２２を第１のポスト２６に固定する目的が実現される。
【００２５】
図６に示すように、第１のブラケット２２を第１のポスト２６に取り付けた後、ユーザーは、スライドレールアセンブリ２０の第２のブラケット２４が第２のポスト２８に取り付けられるまで第２のブラケット２４に力を加えることで、第１のポスト２６及び第２のポスト２８にスライドレールアセンブリ２０を取り付ける作業を完了させることができる。より具体的には、第２のブラケット２４を第２のポスト２８に取り付ける作業及び第２のブラケット２４を第２のポスト２８から取り外す作業は当業者に公知であるため、さらなる説明は省略する。
【００２６】
図７に示すように、第１のポスト２６及び第２のポスト２８からスライドレールアセンブリ２０を取り外す場合、ユーザーは、第２のブラケット２４と第２のポスト２８との間のロック機構（ロック機構は図示せず）を解除して第２のポスト２８から第２のブラケット２４を取り外すことができる。その後、ユーザーは、第２の方向Ｄ２に沿ってレール要素３０に力を加えることで、フック３２のブロック壁部６８がレール要素３０によってブロックされなくなるまでレール要素３０を第２の方向Ｄ２に沿って移動させることができる。レール要素３０の支持フレーム３８の第１の部位４６は、第２の方向Ｄ２に沿って移動しながら、第１のブラケット２２の伸長要素４８の第２の部位５０に当接することができる。その際、フック３２のブロック部６６が第１のポスト２６に当接するまで、レール要素３０により第１のブラケット２２を第２の方向Ｄ２に沿って作動的に移動させることができる。
【００２７】
図８に示すように、第１のブラケット２２を第２の方向Ｄ２に沿って駆動させるためにレール要素３０を第２の方向Ｄ２に沿ってさらに移動させた場合、フック３２のブロック部６６が第１のポスト２６に当接するため、ガイド部６０は、第１のブラケット２２がフック３２に対して第２の方向Ｄ２に沿って移動できるようにする移動空間（moving  space）をさらに提供する。
【００２８】
図８及び図９に示すように、第１のブラケット２２を第２の方向Ｄ２に沿って駆動させるために、レール要素３０を第２の方向Ｄ２に沿ってさらに移動させると、第１のブラケット２２の取り付け要素５６が第１のポスト２６の孔６２から取り外されて所定の位置に移動する。第１のブラケット２２の第１の接触部７０がフック３２の第２の接触部７２を押圧することでフック３２が偏向され、第１のポスト２６に対して閉位置Ｐ２から開位置Ｐ１に移動し、フック３２を第１のポスト２６から取り外すことができる。
【００２９】
当業者であれば、本発明の教示を維持しながら多くの変更及び改良が装置及び方法に加えられ得ることに容易に気付く。従って、上記の開示は、添付の請求項の範囲によってのみ限定されるものと解釈すべきである。
【符号の説明】
【００３０】
２０  スライドレールアセンブリ
２２  第１のブラケット
２４  第２のブラケット
２６  第１のポスト
２８  第２のポスト
３０  レール要素
３２  フック
３４  弾性要素
３６ａ  第１の端部
３６ｂ  第２の端部
３８  支持フレーム
４０ａ  上壁部
４０ｂ  下壁部
４２  縦壁部
４４  通路
４６  第１の部位
４８  伸長要素
５０  第２の部位
５２  サイドプレート
５４  エンドプレート
５６  取り付け要素
５８  耳部
６０  ガイド部
６２  孔
６４  連結要素
６６  ブロック部
６８  ブロック壁部
【図１】
0006324421.tif 000002
【図２】
0006324421.tif 000003
【図３】
0006324421.tif 000004
【図４】
0006324421.tif 000005
【図５】
0006324421.tif 000006
【図６】
0006324421.tif 000007
【図７】
0006324421.tif 000008
【図８】
0006324421.tif 000009
【図９】
0006324421.tif 000010